(57)【要約】【目的】  専用のマークとセンサを使用せずに、無端移動部材におけるマーク検出不可部分を正確に検知できるようにする。【構成】  マークセンサ１１０は、中間転写ベルト（無端移動部材）におけるスケール２５０の各反射部（マーク）の有無により連続的に変調されたアナログ交番信号を出力する。また、反射部の間隔が予め決められた範囲外となる不連続部分（マークの切れ目）や汚れや傷等の欠陥部分に相当するマーク検出不可部分がマーク検出領域に存在するか否かをマークセンサ１１０から出力されるアナログ交番信号の出力変化から判定し、マーク検出不可部分がマーク検出領域に存在する場合にエラー信号を出力する。【選択図】        図４
2006038943.tif 000002
【特許請求の範囲】
【請求項１】
無端移動する無端移動部材の無端移動方向に沿って所定間隔で連続するように形成された複数のマークを検出して、該無端移動部材の移動によるマークの有無により連続的に変調されたアナログ交番信号を出力し、該アナログ交番信号を二値化信号に変換して出力するマーク検出回路において、
前記マークの間隔が予め決められた範囲外となるマーク検出不可部分が当該マーク検出回路の検出領域に存在するか否かを前記アナログ交番信号の出力変化から判定し、前記マーク検出不可部分が前記検出領域に存在する場合にエラー信号を出力するマーク検出不可検知手段を設けたことを特徴とするマーク検出回路。
【請求項２】
請求項１記載のマーク検出回路において、
前記マーク検出不可検知手段を、
前記マークを検出して出力した前記アナログ交番信号に含まれる周波数成分のうち、該マークの有無を検出したことに対応して出力される正弦波交流信号のみを通過させ、直流成分は遮断するハイパスフィルタと、
該ハイパスフィルタを通過した正弦波交流信号が入力された場合に、該正弦波交流信号の絶対値を出力する絶対値回路と、
該絶対値回路から出力される信号を平滑化する平滑化回路と、
該平滑化回路によって平滑化された信号と基準信号とを比較して、これら２つの信号の相対的な大小関係に対応した信号を出力する出力レベル比較回路と
によって構成し、
前記出力レベル比較回路は、
前記平滑化された信号と基準信号との比較により、前記マーク検出不可部分が当該マーク検出回路の検出領域に存在するか否かを判定し、前記マーク検出不可部分が前記検出領域に存在する場合にエラー信号を出力することを特徴とするマーク検出回路。
【請求項３】
請求項２記載のマーク検出回路において、
前記マーク検出不可検知手段をＤＳＰ等の演算手段によって構成したことを特徴とするマーク検出回路。
【請求項４】
請求項３記載のマーク検出回路において、
前記アナログ交番信号を二値化信号に変換して出力する二値化回路を、前記演算手段に含めたことを特徴とするマーク検出回路。
【請求項５】
請求項２又は３記載のマーク検出回路において、
前記アナログ交番信号を二値化信号に変換して出力する二値化回路を、ＤＳＰ等の演算手段によって構成したことを特徴とするマーク検出回路。
【請求項６】
請求項１記載のマーク検出回路を接続し、
該マーク検出回路から出力された二値化信号に基づく制御信号を用いて前記無端移動部材の速度制御又は位置制御を行うことを特徴とする駆動制御装置。
【請求項７】
請求項２乃至５のいずれか一項に記載のマーク検出回路を接続し、
該マーク検出回路の前記出力レベル比較回路の出力に基づいて、前記マーク検出手段の検出領域に前記マークの間隔が予め決められた範囲内となる連続部分が存在していることを認識した場合には、前記マーク検出手段が出力する前記二値化信号に基づく制御信号を用いて速度制御又は位置制御を行い、前記マーク検出手段の検出領域に前記マーク検出不可部分が存在していることを認識した場合には、前記マーク検出手段の検出領域に前記マークの間隔が予め決められた範囲内となる連続部分が存在している場合とは異なる速度制御又は位置制御を行う速度・位置制御手段
を設けたことを特徴とする駆動制御装置。
【請求項８】
請求項６又は７記載の駆動制御装置と、
複数のマークが無端移動方向に沿って所定間隔で連続するように形成された無端移動部材と、
該無端移動部材を無端移動するための駆動力を該無端移動部材に伝達するための駆動力伝達手段と
を備え、
前記駆動制御装置が、前記駆動力伝達手段の駆動制御を行うようにしたことを特徴とする画像形成装置。
【発明の詳細な説明】
【技術分野】
【０００１】
この発明は、無端ベルト部材やドラム状部材等の無端移動部材を適切に無端移動させるためのマーク検出回路、それを接続した駆動制御装置、およびそれを備えた複写機，プリンタ，ファクシミリ装置等の画像形成装置に関する。
【背景技術】
【０００２】
電子写真方式の画像形成装置として、複数個の感光体（第１の像担持体）上にそれぞれ形成された各単色トナーによる単色画像を中間転写体（第２の像担持体）上に順次転写してその各単色画像を重ね合わせた合成カラー画像を形成させる複数個の１次転写部（１次転写手段）と、それによって中間転写体上に形成された合成カラー画像を用紙上に一括転写する２次転写部（２次転写手段）とを備えたものや、感光体上に順次形成される各単色トナーによる単色画像を中間転写体上に順次転写してその各単色画像を重ね合わせた合成カラー画像を形成させる１次転写部と、それによって中間転写体上に形成された合成カラー画像を用紙上に一括転写する２次転写部とを備えたものがある。
【０００３】
このような画像形成装置、つまりベルト状又はドラム状の感光体や中間転写体等の画像形成用の無端移動部材（無端ベルト部材やドラム状部材）を備えた画像形成装置においては、無端移動部材やそれで搬送される用紙（転写材）上の画像（トナー画像）の位置合わせを高精度に行うために、その無端移動部材（実際はその移動面）の移動量および移動位置を正確に制御することが要求される。
ところが、無端移動部材である無端ドラム状部材（感光体ドラムや中間転写ドラム）あるいは無端ベルト状部材（感光体ベルトや中間転写ベルト）を移動（回動）させるための駆動ローラ（回転体）の回転角速度が何らかの原因で変動すると、その無端移動部材の移動速度，移動量，および移動位置も変動し、その無端移動部材やそれで搬送される用紙上の画像の位置誤差を高精度に抑制することが困難になるという問題がある。
【０００４】
そこで、そのような問題を解消するため、無端ドラム状部材や駆動ローラ（無端ベルト状部材を移動させるためのもの）の回転角速度の変動による画像の位置誤差を高精度に抑制するために、無端ドラム状部材の回転軸や駆動ローラの回転軸にロータリエンコーダを直結し、このロータリエンコーダによって検出された無端ドラム状部材や駆動ローラの回転角速度に基づいて、その無端ドラム状部材や駆動ローラの駆動手段である駆動モータの回転角速度を制御するようにした画像形成装置が提案されている（例えば特許文献１参照）。この画像形成装置は、無端ドラム状部材や駆動ローラの回転角速度を制御することにより、その無端ドラム状部材や無端ベルト状部材の移動量（移動位置）を間接的に制御するものである。
【０００５】
一方、ベルト（無端ベルト状部材）の外周面（表面）または内周面（裏面）にその移動方向に沿って所定間隔で連続するようにマーク（又は穴）を形成し、そのマークをセンサによって検出して得られたパルス間隔からベルト面の移動速度を算出して駆動制御にフィードバックするようにした画像形成装置も提案されている（例えば特許文献２〜４参照）。この画像形成装置によれば、ベルト表面の挙動を直接観測できるため、その移動量を直接制御することができる。これにより、ベルトを駆動させるための駆動ローラの偏心、駆動ローラとベルトの滑り、そしてベルトの厚み偏差による計測誤差を低減できる。
【特許文献１】特許第３１０７２５９号公報
【特許文献２】特開平６−２６３２８１号公報
【特許文献３】特開平９−１１４３４８号公報
【特許文献４】特開平１１−２４５０７号公報
【発明の開示】
【発明が解決しようとする課題】
【０００６】
しかしながら、上述したようなベルト面の移動量を直接制御する画像形成装置では、ロータリエンコーダのように切れ目のない信号出力が可能な場合には有効であるが、ベルト面にマークを形成した場合、マークの切れ目があると、その部分で速度計測にエラーが生じ、動作が不安定になるという問題がある。
前述した特許文献２〜４に記載の画像形成装置では、ベルト面へのマーク形成方法について言及されていないが、ベルトの柔軟性・周長偏差などによって等間隔（一定間隔）のマークを切れ目なく全周に亘って加工することは非常に困難である。
【０００７】
例えば、ベルト形成時の金型に凹凸の加工を施してベルト成形することを考えた場合、一般的にベルトの周長を制御するために金型から取り出した後のアニーリング行程で熱が均一に与えられないことや、成形後のベルト内部のひずみによって収縮率が全体で不均一になるため、できあがったマークは一定間隔にはならない。また、印刷や接着を考えた場合にも、ベルトの周長公差が０．２〜０．３％とすると、周長５００ｍｍのベルトでは１ｍｍ以上の偏差があり、切れ目（継ぎ目）なくマークを形成することは非常に困難であることがわかる。
【０００８】
また、上記のマークの切れ目以外に、マークが汚れたり傷がついたりしても、センサがマークを検出できなくなり、信号出力に切れ目が生じてしまうが、画像形成装置では、トナーなどの汚れの要因となるものがベルトの近傍にあるため、マークに汚れや傷が付きやすいと思われる。
そこで、マークの切れ目等によってセンサの信号出力に切れ目が生じてしまう場合にも安定した制御を行う方法として、マークの切れ目等を検知可能にし、マークの切れ目等を検知した場合に別の制御方法に切り替えることで安定した制御を行う方法が考えられる。しかし、この方法を行うには、マークの切れ目，汚れや傷を検知する手段や方法が必要となる。
【０００９】
そのため、次のようにすることが考えられる。
ベルトにマークを作成する過程でできてしまうマークの切れ目は、初めから存在の有無や位置がわかっているので、例えばマークの切れ目のみを検知するための専用のマークとセンサを用いてマークの切れ目を検知可能にし、マークの切れ目を検知した場合に別の制御方法に切り替えることで安定した制御を行うことができる。
しかし、汚れや傷などは、装置作成時ではなく、装置が使用されている途中で現れることが多く、ベルト面のマークのどの部分で現れるのかがわからないので、専用のマークを設けることなく、同一のマークからマークの切れ目，汚れや傷を検知できるようにする必要がある。
【００１０】
この発明は、上記の点に鑑みてなされたものであり、専用のマークとセンサを使用せずに、無端移動部材におけるマークの間隔が予め決められた範囲外となる不連続部分（マークの切れ目）や汚れや傷等の欠陥部分に相当するマーク検出不可部分を正確に検知できるようにすることを目的とする。
【課題を解決するための手段】
【００１１】
この発明は、上記の目的を達成するため、マーク検出回路、それを備えた駆動制御装置、およびそれを備えた画像形成装置を提供する。
【００１２】
請求項１の発明によるマーク検出回路（マークセンサ）は、無端移動する無端移動部材の無端移動方向に沿って所定間隔で連続するように形成された複数のマーク（穴でもよい）を検出して、該無端移動部材の移動によるマークの有無により連続的に変調されたアナログ交番信号を出力し（無端移動部材の移動量を直流成分に正弦波交流信号を重畳した電気信号に変換して出力し）、該アナログ交番信号を二値化信号に変換して出力するマーク検出回路において、上記マークの間隔が予め決められた範囲外となる不連続部分や汚れや傷等の欠陥部分に相当するマーク検出不可部分が当該マーク検出回路の検出領域に存在するか否かを上記アナログ交番信号の出力変化（特に正弦波交流信号の振幅の大きさの変化）から判定し、上記マーク検出不可部分が上記検出領域に存在する場合にエラー信号を出力するマーク検出不可検知手段を設けたものである。
【００１３】
請求項２の発明によるマーク検出回路は、請求項１のマーク検出回路において、上記マーク検出不可検知手段を、上記マークを検出して出力した上記アナログ交番信号に含まれる周波数成分のうち、該マークの有無を検出したことに対応して出力される正弦波交流信号のみを通過させ、直流成分（正弦波交流信号よりも低周波数成分）は遮断するハイパスフィルタと、該ハイパスフィルタを通過した正弦波交流信号が入力された場合に、該正弦波交流信号の絶対値を出力する絶対値回路と、該絶対値回路から出力される信号を平滑化する平滑化回路と、該平滑化回路によって平滑化された信号と基準信号とを比較して、これら２つの信号の相対的な大小関係に対応した信号を出力する出力レベル比較回路とによって構成し、上記出力レベル比較回路が、上記平滑化された信号と基準信号との比較により、上記マーク検出不可部分が当該マーク検出回路の検出領域に存在するか否かを判定し、上記マーク検出不可部分が上記検出領域に存在する場合にエラー信号を出力するものである。
【００１４】
請求項３の発明によるマーク検出回路は、請求項２のマーク検出回路において、上記マーク検出不可検知手段をＤＳＰ等の演算手段によって構成したものである。
請求項４の発明によるマーク検出回路は、請求項３のマーク検出回路において、上記アナログ交番信号を二値化信号に変換して出力する二値化回路を、上記演算手段に含めたものである。
請求項５の発明によるマーク検出回路は、請求項２又は３のマーク検出回路において、上記アナログ交番信号を二値化信号に変換して出力する二値化回路を、ＤＳＰ等の演算手段によって構成したものである。
【００１５】
請求項６の発明による駆動制御装置は、請求項１のマーク検出回路を接続し、該マーク検出回路から出力された二値化信号に基づく制御信号を用いて上記無端移動部材の速度制御又は位置制御を行うものである。
請求項７の発明による駆動制御装置は、請求項２〜５のいずれかのマーク検出回路を接続し、該マーク検出回路の上記出力レベル比較回路の出力に基づいて、上記マーク検出手段の検出領域に上記マークの間隔が予め決められた範囲内となる連続部分が存在していることを認識した場合には、上記マーク検出手段が出力する上記二値化信号に基づく制御信号を用いて速度制御又は位置制御を行い、上記マーク検出手段の検出領域に上記マーク検出不可部分が存在していることを認識した場合には、上記マーク検出手段の検出領域に上記マークの間隔が予め決められた範囲内となる連続部分が存在している場合とは異なる速度制御又は位置制御を行う速度・位置制御手段を設けたものである。
【００１６】
請求項８の発明による画像形成装置は、請求項６又は７の駆動制御装置と、複数のマークが無端移動方向に沿って所定間隔で連続するように形成された無端移動部材と、該無端移動部材を無端移動するための駆動力を該無端移動部材に伝達するための駆動力伝達手段とを備え、上記駆動制御装置が、上記駆動力伝達手段の駆動制御を行うようにしたものである。
【発明の効果】
【００１７】
この発明のマーク検出回路によれば、無端移動部材におけるマークの間隔が予め決められた範囲外となる不連続部分（マークの切れ目）や汚れや傷等の欠陥部分に相当するマーク検出不可部分が当該マーク検出回路の検出領域に存在するか否かをアナログ交番信号の出力変化から判定し、上記マーク検出不可部分が上記検出領域に存在する場合にエラー信号を出力するので、そのエラー信号を受ける側（駆動制御装置）で無端移動部材におけるマーク検出不可部分を検知できることになる。つまり、専用のマークとセンサを使用せずに、無端移動部材におけるマーク検出不可部分を正確に検知することができる。
【００１８】
この発明の駆動制御装置によれば、上記マーク検出回路を用いることにより、コストアップせずに、無端移動部材の速度制御又は位置制御を適切に行うことができる。
この発明の画像形成装置によれば、上記駆動制御装置を用いることにより、コストアップせずに適切な画像形成を行え、画像品質を向上させることができる。
【発明を実施するための最良の形態】
【００１９】
以下、この発明を実施するための最良の形態を図面に基づいて具体的に説明する。
図２は、この発明による画像形成装置の一実施例であるカラー複写機の内部構成例を示す構成図である。
【００２０】
このカラー複写機は、タンデム型間接転写方式の電子写真装置であり、複写機本体（装置本体）１の下部に用紙Ｐを積載する複数段（この例では４段）の給紙カセット２２を備えた給紙バンク（給紙部）２を、上部に原稿を自動的にコンタクトガラス３１（図２）上に給送する自動原稿給送部（以下「ＡＤＦ」という）３を、中央部にプリンタ部（画像形成部）２０をそれぞれ配置している。なお、給紙バンク２には、必要に応じて別の給紙部を増設することも可能である。
【００２１】
ＡＤＦ３の手前側の複写機本体１の上面に、図示しない操作部が設けられており、そこにはコピー動作を開始するためのスタートキーや、コピー枚数等をセットするためのテンキー、両面モード（用紙の表裏両面に画像を形成するモード）を含む各種モード，用紙サイズ，コピー濃度等を選択するキー、各種の表示を行う液晶表示器などを備えている。
プリンタ部２０の上方には原稿画像を読み取るスキャナ部２３を、そのプリンタ部２０の図２で左側には排紙トレイ（排紙収納部）２４をそれぞれ設けており、その排紙トレイ２４には画像形成された用紙Ｐが排紙収納される。
【００２２】
プリンタ部２０には、それぞれ表面（但し予め帯電されている）が露光されて静電潜像が形成される複数の第１の像担持体となるドラム状の感光体（以下「感光体ドラム」という）２６Ｙ，２６Ｍ，２６Ｃ，２６Ｋ（以下総称して「感光体ドラム２６」ともいう）と、その各感光体ドラム２６の表面に形成された静電潜像をそれぞれ各色のトナーで可視像化して単色のトナー画像（以下「単色画像」という）を形成する各現像部６３と、その各感光体ドラム２６上に形成された各単色画像が順次１次転写されることによって４色重ねの合成カラー画像が形成される第２の像担持体であるドラム状の中間転写体（以下「中間転写ベルト」という）２５とが設けられており、その中間転写ベルト２５は矢示Ａ方向に回動するようになっている。
【００２３】
図２に示した各感光体ドラム２６（２６Ｙ，２６Ｍ，２６Ｃ，２６Ｋ）のそれぞれの回りには、その各感光体ドラム２６の表面を一様に帯電処理する各帯電部６２と、その各感光体ドラム２６上の単色画像（可視像）を中間転写ベルト２５に１次転写した後に各感光体ドラム２６上に残った未転写トナー（残留トナー）を除去回収するクリーニング処理を行う各感光体クリーニング部６４とをそれぞれ設けている。
このプリンタ部２０の上部には、そのプリンタ部２０の各感光体ドラム２６上のそれぞれ露光位置（帯電面）に、それぞれ各色の画像情報に対応したレーザ光を照射してそこに静電潜像を形成する露光部７を設けている。
【００２４】
また、プリンタ部２０の用紙搬送上流側にレジスト部を構成するレジストローラ３３を、そのプリンタ部２０の用紙搬送下流側に定着部２８をそれぞれ設け、そのレジストローラ３３により用紙のスキュー補正を行うと共に、その用紙を感光体ドラム２６上のトナー画像とタイミングをとって、中間転写ベルト２５と２次転写対向ローラ５４との間の２次転写部へ向けて給送するようにしている。そして、その２次転写部で、中間転写ベルト２５上に担持した合成カラー画像を給紙バンク２内のいずれかの給紙カセット２２あるいは手差し給紙トレイ７０から給紙した用紙Ｐに順次２次転写し、その合成カラー画像を定着部２８で熱と圧力とを加えて定着する。その定着部２８の下流側には、定着部２８を通過した用紙を排紙トレイ２４上に排出する排紙ローラ４１を設けている。
【００２５】
さて、いま、このカラー複写機を用いてコピーをとるときは、ユーザがＡＤＦ３の原稿台上に原稿をセットする。または、ＡＤＦ３を開いてスキャナ部２３のコンタクトガラス３１上に原稿をセットし、ＡＤＦ３を閉じてそれで押さえる。 
そして、操作部上のスタートキーを押すと、カラー複写機は次のような動作を行う。
すなわち、まず、ＡＤＦ３の原稿台に原稿がセットされている場合には、その原稿をコンタクトガラス３１上へ自動給送した後、コンタクトガラス３１上に直接原稿がセットされている場合には、直ちに、スキャナ部２３を駆動し、第１走行体３２ａおよび第２走行体３２ｂを図２で左右方向に往復移動させる。
【００２６】
そして、第１走行体３２ａで原稿照明用の光源を点灯させると共に原稿面からの反射光を更に反射して第２走行体３２ｂに向け、第２走行体３２ｂのミラーで反射して結像レンズ３４を通してＣＣＤ（読み取りセンサ）３５に入れ、原稿の画像を読み取る。このとき、Ｒ（レッド），Ｇ（グリーン），Ｂ（ブルー）の色分解光毎に光電変換され、電気的なＲ，Ｇ，Ｂの画像信号が出力される。そのＲＧＢ画像信号はデジタル化されて画像処理がなされ、イエロー（Ｙ），マゼンタ（Ｍ），シアン（Ｃ），ブラック（Ｋ）の画像信号として露光部７へ送られ、その内部のレーザダイオードのＰＭ，ＰＷＭ変調によって原稿画像に対応するレーザ光が射出される。そして、そのレーザ光により、図示しないポリゴンミラーやレンズを介して各感光体ドラム２６の帯電面（帯電部６２による）が露光され、そこに静電潜像が形成される。
【００２７】
また、スタートキーの押下により、図示しない駆動モータによって駆動ローラ５１を回転駆動して他のローラ５２，５３を従動回転させ、中間転写ベルト２５を回動させる。同時に、プリンタ部２０で各感光体ドラム２６を回転させて各感光体ドラム２６上の静電潜像にそれぞれ各現像部６３によりＹ，Ｍ，Ｃ，Ｋの各単色トナーを付着させ、各単色のトナー画像（単色画像）を形成する。
そして、中間転写ベルト２５の回動とともに、それらの単色画像を順次転写して中間転写ベルト２５上に４色重ねの合成カラー画像を形成する。
【００２８】
すなわち、最初に感光体ドラム２６Ｙ上のＹ画像（イエロー色の画像）を図２の矢示Ａ方向に回動している中間転写ベルト２５上に１次転写ローラ６５（図３）により１次転写し、次にそのＹ画像が感光体ドラム２６Ｍの位置まで移動したときに、そこにＭ画像（マゼンタ色の画像）を重ね合わせて１次転写ローラ６５により１次転写する。そのＭ画像を転写した部分が感光体ドラム２６Ｃの位置まで移動したときに、そこにＣ画像（シアン色の画像）を重ね合わせて１次転写ローラ６５により１次転写し、更にそのＣ画像を転写した部分が感光体ドラム２６Ｋの位置まで移動したときに、そこにＫ画像（ブラック色の画像）を重ね合わせて１次転写ローラ６５により１次転写する。
【００２９】
そして、そのＹ，Ｍ，Ｃ，Ｋの４色を重ね合わせた合成カラー画像が中間転写ベルト２５の回動により、その内側に位置する２次転写ローラ５３と外側に位置する２次転写対向ローラ５４との間の２次転写位置まで移動すると、そのタイミングに一致するように同期がとられて給送された用紙（記録紙）に、２次転写ローラ５３により一括転写する。
このように、このカラー複写機は、中間転写ベルト２５が１回動して１つの合成カラー画像を形成する作像プロセスを行う。
そして、その中間転写ベルト２５上の４色重ねの合成カラー画像が用紙に一括転写された後は、その中間転写ベルト２５上に残留する未転写トナーが中間転写クリーニング部（ベルトクリーニング部）５５により除去回収される。
【００３０】
合成カラー画像が定着されて定着部２８を通過した用紙は、片面モード（用紙の片面にのみ画像を形成するモード）が設定されている場合には、排紙ローラ４１により排紙トレイ２４に排出される。
また、両面モードが設定されている場合には、定着部２８と排紙ローラ４１との間の搬送経路上に設けている分岐爪４３により、用紙がプリンタ部２０の下側に配設している両面部２９に送り込まれ、それが反転されて再びレジストローラ３３に搬送され、今度は裏面（第２面）に合成カラー画像が形成された後に排紙ローラ４１により排紙トレイ２４上に排出される。
【００３１】
一方、用紙を給送する給紙バンク２には、各給紙段ごとに給紙部４がそれぞれ設けられている。
その各給紙段の給紙部４は、用紙Ｐを積載する底板５と、その底板５に積載された用紙Ｐを同図で反時計回り方向に回転することにより給送するピックアップコロ６と、そのピックアップコロ６により給送された用紙Ｐが複数枚であったときにはそれを１枚に分離するフィードコロとリバースコロとからなる分離手段８とを備えている。
この給紙部４からの給送は、給紙カセット２２の底板５上に収納した未使用の用紙Ｐが、その底板５が上昇側に回動することにより最上位に位置する用紙がピックアップコロ６に当接する位置まで上昇し、その状態でピックアップコロ６が回転することにより給紙カセット２２から送り出される。
【００３２】
そこで、用紙Ｐが２枚以上送り出されたときには、それが分離手段８によって１枚に分離される。そして、その用紙Ｐが、停止状態にあるレジストローラ３３へ搬送され、そこで一旦停止されて、その先端と中間転写ベルト２５上の合成カラー画像との位置関係が正確に一致するタイミングで、そのレジストローラ３３が回転を開始することによりプリンタ部２０に向けて搬送される。以下、上述したプロセスを経て画像形成が行われ、それが排紙トレイ２４に排出される。
【００３３】
このように、このカラー複写機は、原稿を走査してその画像を読み取り、その画像情報をデジタル化して用紙に画像を形成するデジタル複写機としての機能の他に、図示しない制御部により原稿の画像情報を遠隔地との間で授受するファクシミリ装置としての機能や、コンピュータが扱う画像情報を用紙上に印刷するプリンタとしての機能も有する多機能の画像形成装置である。そして、どの機能によって形成した画像も、全て一つの排紙トレイ２４に排出される。
【００３４】
次に、プリンタ部２０について、図３を参照して具体的に説明する。
図３は、プリンタ部２０の構成を詳細に示す構成図である。
プリンタ部２０は、前述したように、各感光体ドラム２６の回りにそれぞれ、帯電部６２，現像部６３，１次転写ローラ（１次転写部）６５，および感光体クリーニング部６４を設け、フルカラーの画像形成を行うために、各感光体ドラム２６上にそれぞれ各色に対応する静電潜像を形成し、その各静電潜像にそれぞれ各色のトナーを付着してトナー画像を形成し、その各色のトナー画像を各１次転写ローラ６５によって中間転写ベルト２５上に順次１次転写することにより、その中間転写ベルト２５上に４色重ねの合成カラー画像を形成するタンデム方式の画像形成部である。
【００３５】
各帯電部６２はそれぞれ、ローラ状の接触帯電部材（帯電ローラ）であり、対応する感光体ドラム２６に接触して電圧を印加することによりその感光体ドラム２６の表面を一様に帯電する。もちろん、ローラ状以外の接触帯電部材あるいは非接触のスコロトロンチャージャで帯電を行うこともできる。
各現像部６３はそれぞれ、一成分現像剤を使用してもよいが、図示例では、磁性キャリアと非磁性トナーとよりなる二成分現像剤を使用する。そして、その二成分現像剤を攪拌しながら搬送して現像スリーブに二成分現像剤を供給付着させる攪拌部と、その現像スリーブに付着した二成分現像剤のうちのトナーを感光体ドラム２６に転移する現像部とによって構成し、その現像部より攪拌部を低い位置とする。
【００３６】
各１次転写ローラ６５はそれぞれ、ローラ状の接触転写部材であり、対応する感光体ドラム２６上の単色画像を中間転写ベルト２５上に１次転写する。もちろん、ローラ状以外の接触転写部材あるいは非接触のスコロトロンチャージャで１次転写を行うこともできる。
各感光体クリーニング部６４はそれぞれ、対応する感光体ドラム２６上に残留する未転写トナーを除去回収する。
【００３７】
中間転写ベルト２５は、駆動ローラ５１と従動ローラ５２と２次転写ローラ５３との間に張架され、Ａ方向に回動可能となっている。
この中間転写ベルト２５の従動ローラ５２と２次転写ローラ５３との間に架け渡された部分の表面上には、中間転写クリーニング部５５を設けている。
【００３８】
２次転写ローラ５３は、２次転写対向ローラ５４と共に２次転写部を構成するローラ状の接触転写部材であり、中間転写ベルト２５上に形成された合成カラー画像を用紙上に一括転写する。もちろん、ローラ状以外の接触転写部材あるいは非接触のスコロトロンチャージャで２次転写を行うこともできる。
中間転写クリーニング部５５は、中間転写ベルト２５による画像転写後にその表面に残留する未転写トナーを除去回収する。
【００３９】
なお、各１次転写ローラ６５，２次転写ローラ５３，および中間転写クリーニング部５５にはそれぞれ、図示しない高圧電源部が接続されている。この高圧電源部は、各感光体ドラム２６上に形成された単色画像を中間転写ベルト２５上に１次転写するために、所定のバイアス電圧を各１次転写ローラ６５に印加する１次転写プロセスを行う。また、中間転写ベルト２５上に形成された合成カラー画像を用紙上に２次転写するために、所定のバイアス電圧を２次転写ローラ５３に印加する２次転写プロセスを行う。さらに、中間転写ベルト２５上に残留する未転写トナーを除去するため、所定のバイアス電圧を中間転写クリーニング部５５に印加する。
【００４０】
次に、このカラー複写機におけるこの発明に係わる部分について、図１，図４〜図１１を参照して具体的に説明する。
図４は、図３の中間転写ベルト２５とその周辺の駆動系および制御系とを構成するベルト駆動装置の構成例を示す図である。
このベルト駆動装置では、無端ベルト状部材（無端移動部材）である中間転写ベルト２５の内周面（裏面）にその回動方向（無端移動方向）に沿って所定間隔で連続するように複数のマーク（反射部）を形成したスケール２５０を備えている。
【００４１】
駆動制御装置１００は、速度・位置制御手段としての機能を果たすマイクロコンピュータ（ＣＰＵ）を用いており、スケール２５０上のマークを検出するマークセンサ（マーク検出回路）１１０の出力に基づく制御信号を用いて中間転写ベルト２５の速度制御又は位置制御を行う。つまり、スケール２５０上のマークをマークセンサ１１０によって検出して得られたパルス間隔（後述する二値化信号）から中間転写ベルト２５の外周面（表面）の速度（移動速度）を算出して、その算出結果を制御にフィードバックし、対応する制御信号を駆動モータ１２０へ出力してその駆動モータ１２０を駆動制御することにより、ギア１２１，１２２，および駆動ローラ５１を介して中間転写ベルト２５の外周面の速度又は位置を最適値に制御する。
【００４２】
なお、駆動モータ１２０，ギア１２１，１２２，駆動ローラ５１が、中間転写ベルト２５を回動（無端移動）させるための駆動力を中間転写ベルト２５に伝達するための駆動力伝達手段に相当する。
マークセンサ１１０は、駆動制御装置１００に接続されていればよいので、駆動制御装置１００の一部としても構わないし、別にしても構わない。
【００４３】
図５は、中間転写ベルト２５の内周面に設けたスケール２５０とマークセンサ（光センサ）１１０の一例を示す構成図であり、（ａ）はスケール２５０の一部を上方から見た正面、（ｂ）はマークセンサ１１０の光学系の構成と光路を示す図、（ｃ）はマークセンサ１１０を上方から見た正面図である。
【００４４】
スケール２５０は、反射型スケールであり、中間転写ベルト２５の内周面（外周面でもよい）にその回動方向に沿って反射部（マーク）２５１と遮光部２５２とを交互に形成した（反射部２５１が所定間隔で連続するように形成した）ものである。
マークセンサ１１０は、発光素子（ＬＥＤ等）１１１，コリメートレンズ１１２，スリットマスク１１３，ガラス１１４（透明樹脂フィルムなどの透明のカバーでもよい），および受光素子（フォトトランジスタ等）１１５等によって構成されている。
【００４５】
マークセンサ１１０において、発光素子（光源）１１１で発光してコリメートレンズ１１２で平行光にされたビーム（光線）は、スケール２５０と平行な複数のスリットからなるスリットマスク１１３を通って複数のビームＬＢに分割され、中間転写ベルト２５のスケール２５０に入射され、その一部が反射部２５１で反射する。
中間転写ベルト２５のスケール２５０の反射部２５１で反射した光である複数の分割ビームＬＢは、マークセンサ１１０のガラス１１４を介して受光素子１１５で受光され、そこで反射光の明暗の変化を電気信号に変換する。
【００４６】
よって、マークセンサ１１０の受光素子１１５は、スケール２５０の反射部（マーク）２５１を反射光の受光によって検出して、中間転写ベルト２５の回動による反射部２５１の有無により連続的に変調されたアナログ交番信号を出力する（中間転写ベルト２５の移動量を直流成分に正弦波交流信号を重畳した電気信号に変換して出力する）ことができる。
ここで、マークセンサ１１０の表面のビーム光路に位置するスリットマスク１１３とガラス１１４をマーク検出領域とする。
【００４７】
図６は、マークセンサ１１０のマーク検出領域に汚れ（ゴミ）が付着した状態を示す図である。
図７は、マークセンサ１１０によるマーク検出時の各種信号の波形例を示す線図であり、（ａ）はマークセンサ１１０から出力される各種アナログ交番信号（センサアナログ信号）の波形例を、（ｂ）はアナログ交番信号を二値化した二値化信号の波形例をそれぞれ示している。
【００４８】
ここで、アナログ交番信号とは、直流成分（反射率もしくは透過率のムラや検出距離変動などにより多少変動する）に正弦波交流信号を重畳した電気信号に相当する。
図７を見て分かるように、マークセンサ１１０の受光素子１１５から出力されるアナログ交番信号は、マーク検出領域に対するゴミの付着（マーク検知部の汚れ）の有無やそのゴミの量（汚れ）によって異なる波形となる。
例えば、図６に示すように、マークセンサ１１０のマーク検出領域にゴミが付着すると、それによって発光素子１１１からのビームが遮られ、受光素子１１５で受光できる光量が減少するため、変換される電気信号（アナログ交番信号）の出力レベルが低下する。
【００４９】
そうすると、アナログ交番信号から制御の際に使用する二値化信号に変換しにくくなったりする。また、図示は省略しているが、マークセンサ１１０を構成している発光素子（ＬＥＤ等）１１１や受光素子（フォトトランジスタ等）１１５の温度特性（温度による特性の変化）により、マークセンサ（光センサ）１１０としての特性も温度により変化してしまい、図７の（ａ）に示すように出力レベルは変動する。温度特性の場合は、常温での特性を基準として、出力レベルは増減する。
【００５０】
図８は、マークセンサ１１０によるマーク検出不可時の（マーク検出不可部分に対応する）各種信号の波形例を示す線図であり、（ａ）はマークセンサ１１０の受光素子１１５から出力されるアナログ交番信号の波形例を、（ｂ）（ｃ）（ｄ）はそのアナログ交番信号に対応する後述する各回路からそれぞれ出力される信号の波形例をそれぞれ示している。
【００５１】
図１は、図４のマークセンサ１１０の制御系（マーク検出回路）の構成例を示すブロック図である。
マークセンサ１１０は、センサ部２０１（上述した発光素子１１１，コリメートレンズ１１２，スリットマスク１１３，ガラス１１４，および受光素子１１５等からなる）および二値化回路２０２から構成されるマーク検出部２００の他に、ハイパスフィルタ２１１，絶対値回路２１２，平滑化回路２１３，および出力レベル比較回路２１４から構成されるマーク検出不可検知部（マーク検出不可検知手段）２１０を設けている。
【００５２】
二値化回路２０２は、センサ部２０１の受光素子１１５から出力されるアナログ交番信号を二値化信号に変換して出力する。
ハイパスフィルタ２１１は、センサ部２０１の受光素子１１５から出力されるアナログ交番信号に含まれる周波数成分のうち、スケール２５０の反射部（マーク）２５１の有無を検出したことに対応して出力される正弦波交流信号のみを通過させ、直流成分は遮断する。
【００５３】
絶対値回路２１２は、ハイパスフィルタ２１１を通過した正弦波交流信号が入力された場合に、その正弦波交流信号の絶対値を出力する。
平滑化回路２１３は、絶対値回路２１２から出力される信号を平滑化する。
出力レベル比較回路２１４は、平滑化回路２１３によって平滑化された信号と基準信号との比較により、各反射部２５１の間隔が予め決められた範囲外となる不連続部分や汚れや傷等の欠陥部分に相当するマーク検出不可部分がマーク検出領域に存在するか否かを判定し、そのマーク検出不可部分がマーク検出領域に存在する場合にエラー信号を出力する。
【００５４】
図９は、図１のマークセンサ１１０の制御系の具体的構成例を示す回路図である。
この例のマークセンサ１１０において、センサ部２０１は、発光素子１１１としてＬＥＤを、受光素子１１５としてフォトトランジスタ（ＰＴｒ）をそれぞれ使用している。
ハイパスフィルタ２１１は、オペオンプＩＣ１や複数の抵抗およびコンデンサによって構成されている。
【００５５】
絶対値回路２１２および平滑化回路２１３は、オペオンプＩＣ２，ＩＣ３，ダイオードＤ１，Ｄ２，抵抗Ｒ１〜Ｒ５，および平滑用コンデンサＣによって構成されている。
ここで、抵抗Ｒ１〜Ｒ５は次式の関係になっている。
Ｒ２＝０．５×Ｒ１
Ｒ１＝Ｒ５
Ｒ２＝Ｒ３＝Ｒ４
出力レベル比較回路２１４は、コンパレータＩＣ４や電源および複数の抵抗によって構成されている。
【００５６】
このように構成されたマークセンサ１１０において、センサ部２０１の受光素子１１５から出力されるアナログ交番信号は、マーク検出不可部分によるマーク検出不可時には、図８の（ａ）に示すように変化する。
そして、そのように変化したアナログ交番信号がハイパスフィルタ２１１に入力されると、そのハイパスフィルタ２１１からは図８の（ｂ）に示すように処理されたハイパスフィルタ信号が出力される。
【００５７】
そのハイパスフィルタ信号は、絶対値回路２１２に入力されて処理され、図８の（ｃ）に示すように絶対値信号が生成される。その絶対値信号は、平滑化回路２１３（平滑用コンデンサＣ）によって同図の（ｃ）に示すように処理（平滑化）される。
その平滑化された信号（平滑化信号）は、出力レベル比較回路２１４に入力されると、コンパレータＩＣ４で予め設定された基準電圧レベルの基準信号と比較され、これら２つの信号の相対的な大小関係に対応した信号が出力される。
【００５８】
すなわち、出力レベル比較回路２１４のコンパレータＩＣ４は、平滑化回路２１３によって処理された平滑化信号と基準信号との比較により、マーク検出不可部分がマーク検出領域に存在する（平滑化信号の電圧レベルが基準信号の電圧レベルより低くなった）か否かを判定し、マーク検出不可部分がマーク検出領域に存在する場合（平滑化信号の電圧レベルが基準信号の電圧レベルより低くなった場合）に、図８の（ｄ）に示すようなエラー信号（ローレベル信号）を出力する。
【００５９】
よって、図４に示した駆動制御装置１００は、マークセンサ１１０の出力レベル比較回路２１４の出力に基づいて、マーク検出領域に反射部２５１の間隔が予め決められた範囲内となる連続部分が存在していることを認識した場合には、二値化回路２０２が出力する二値化信号に基づく制御信号を用いて中間転写ベルト２５の速度制御又は位置制御を行い、マーク検出領域にマーク検出不可部分が存在していることを認識した場合には、マーク検出領域に各反射部２５１の間隔が予め決められた範囲内となる連続部分が存在している場合とは異なる速度制御又は位置制御を行うことができる。
【００６０】
図１０は、駆動制御装置１００による中間転写ベルト２５の速度制御の一例（マーク検出領域に反射部２５１の間隔が予め決められた範囲内となる連続部分が存在している場合の速度制御）を示すフローチャートである。
駆動制御装置１００は、図示しないメイン制御装置（装置全体を統括的に制御する制御装置）から駆動モータ１２０をＯＮにする信号が入力されると（中間転写ベルト２５の駆動開始タイミングで）、図１０の処理ルーチンをスタートし、まずステップＳ１で駆動モータ１２０をＯＮにして目標速度である基本速度Ｖで回転させ、ステップＳ２でメイン制御装置からの駆動モータ１２０をＯＦＦにする信号の入力の有無をチェックする。
【００６１】
そして、メイン制御装置からの駆動モータ１２０をＯＦＦにする信号が入力されていない場合には、ステップＳ４でフィードバックされるマークセンサ１１０からの信号を入力して、その信号から中間転写ベルト２５の表面（外周面）の実際の速度Ｖ′を算出（計算）し、ステップＳ５で基本速度Ｖと算出した実際の速度Ｖ′とを比較して、ステップＳ６で基本速度Ｖと実際の速度Ｖ′が同じかどうかを判断し、同じであればそのままステップＳ２に戻って上述と同様の判断および処理を行う。
もし、基本速度Ｖと実際の速度Ｖ′が異なる場合には、ステップＳ７で基本速度Ｖと実際の速度Ｖ′との速度差Ｖ″（Ｖ−Ｖ′）を算出し、ステップＳ８でその速度差Ｖ″がＶ″＞「０」であるか否かを判断する。
【００６２】
そして、速度差Ｖ″がＶ″＞「０」の場合には、基本速度Ｖよりも実際の速度Ｖ′の方が遅いと判断できるため、ステップＳ９で基本速度Ｖに速度差Ｖ″を加えた速度Ｖ１（Ｖ＋Ｖ″）になるように駆動モータ１２０の回転数（回転速度）を制御し、ステップＳ２に戻る。速度差Ｖ″がＶ″＞「０」でない場合、つまりＶ″＜「０」の場合には、基本速度Ｖよりも実際の速度Ｖ′の方が速いと判断できるため、ステップＳ９で基本速度Ｖから速度差Ｖ″を差し引いた速度Ｖ２（Ｖ−Ｖ″）になるように駆動モータ１２０の回転数を制御し、ステップＳ２に戻る。
【００６３】
したがって、ステップＳ２以降の判断および処理を繰り返すことにより、中間転写ベルト２５の表面の実際の速度Ｖ′が基本速度Ｖになるように補正制御される。
その後、ステップＳ２でメイン制御装置から駆動モータ１２０をＯＦＦにする信号が入力されたと判断すると、ステップＳ３へ移行し、駆動モータ１２０をＯＦＦにして、図１０の制御を終了する。
【００６４】
ところで、上述した駆動制御装置１００は、マーク検出領域に反射部２５１の間隔が予め決められた範囲内となる連続部分が存在していると認識した場合には、図１０によって説明した速度制御を行うが、マークセンサ１１０からのエラー信号によってマーク検出領域にマーク検出不可部分が存在していると認識した場合には、図１０によって説明した速度制御とは一部異なる制御を行う。例えば、マーク検出不可部分（マークの切れ目等）の場合、その部分がエラー信号の入力によって認識（検知）できるため、そのエラー信号（ローレベル信号）が入力されている間だけ、図１０のステップＳ４〜１０の判断および処理を禁止し、駆動モータ１２０の回転数をエラー信号入力前の速度に保持する。あるいは、本出願人が先に提出した特願２００３−１４０３７６号等に記載された技術を用いて駆動モータ１２０の回転数を制御するようにしてもよい。
【００６５】
なお、図１，図９によって説明したマークセンサ１１０において、ハイパスフィルタ２１１，絶対値回路２１２，平滑化回路２１３，および出力レベル比較回路２１４からなるマーク検出不可検知部２１０をＤＳＰ（Digital Signal Processor）等の演算手段によって構成することができる。また、二値化回路２０２もＤＳＰ等の演算手段によって構成することができる。あるいは、図１１に破線で囲んで示すように、マーク検出不可検知部２１０および二値化回路２０２を同一のＤＳＰ等の演算手段によって構成することもできる。
【００６６】
このように、このカラー複写機におけるマークセンサ１１０のマーク検出部２００が、中間転写ベルト２５におけるスケール２５０の反射部（マーク）２５１の有無により連続的に変調されたアナログ交番信号を出力し、そのアナログ交番信号を二値化信号に変換して出力し、マーク検出不可検知部２１０が、反射部２５１の間隔が予め決められた範囲外となる不連続部分（マークの切れ目）や汚れや傷等の欠陥部分に相当するマーク検出不可部分がマーク検出領域に存在するか否かをマーク検出部２００から出力されるアナログ交番信号の出力変化から判定し、マーク検出不可部分がマーク検出領域に存在する場合にエラー信号を出力する。
【００６７】
そして、中間転写ベルト２５におけるスケール２５０の各反射部２５１の有無により連続的に変調されたアナログ交番信号を出力し、そのアナログ交番信号を二値化信号に変換して出力するために、マーク検出部２００をセンサ部２０１および二値化回路２０２によって構成し、マーク検出不可部分がマーク検出領域に存在するか否かを正弦波交流信号の振幅の大きさの変化から検知するために、マーク検出不可検知部２１０をハイパスフィルタ２１１，絶対値回路２１２，平滑化回路２１３，および出力レベル比較回路２１４（平滑化回路２１３によって処理された平滑化信号と基準信号との比較により、マーク検出不可部分がマーク検出領域に存在するか否かを判定する回路）によって構成している。
【００６８】
そのため、駆動制御装置１００側では、マークセンサ１１０のマーク検出不可検知部２１０からエラー信号を受信することにより、中間転写ベルト２５におけるマーク検出不可部分を正確に検知することができる。よって、マーク検出不可部分を検出するための専用のマークとセンサを使用せずに済み、低コストを実現することができる。また、マークセンサ１１０のマーク検出不可検知部２１０からエラー信号を受信することにより、正弦波交流信号の振幅の大きさが規格値以上であることも検知することができる。
【００６９】
また、ハイパスフィルタ２１１，絶対値回路２１２，平滑化回路２１３，および出力レベル比較回路２１４を個別に又はアナログ的に処理するのではなく、ＤＳＰ等の演算手段によって一連の処理を行うこともできる。そうすれば、マークセンサ１１０の回路構成を簡素化することができる。二値化回路２０２も同一のＤＳＰ等の演算手段によって構成すれば、回路構成を一層簡素化することができる。
【００７０】
さらに、駆動制御装置１００が、マークセンサ１１０の出力レベル比較回路２１４の出力に基づいて、マーク検出領域に反射部２５１の間隔が予め決められた範囲内となる連続部分が存在していることを認識した場合には、二値化回路２０２が出力する二値化信号に基づく制御信号を用いて中間転写ベルト２５の速度制御又は位置制御を行い、マーク検出領域にマーク検出不可部分が存在していることを認識した場合には、マーク検出領域に各反射部２５１の間隔が予め決められた範囲内となる連続部分が存在している場合とは異なる速度制御又は位置制御を行うので、マーク検出領域にマーク検出不可部分が存在している場合でも、中間転写ベルト２５の速度制御又は位置制御として最適な制御を行うことができる。
【００７１】
したがって、この実施例のカラー複写機では、上記駆動制御装置１００と、回動方向（無端移動方向）に沿って複数の反射部（マーク）２５１が所定間隔で連続するように形成された（反射部２５１と遮光部２５２が交互に形成された）スケール２５０を有する中間転写ベルト２５（無端移動部材）と、その中間転写ベルト２５を回動させるための駆動力を中間転写ベルト２５に伝達するための駆動モータ１２０，ギア１２１，１２２，駆動ローラ５１とを備え、駆動制御装置１００が、駆動モータ１２０を駆動制御することにより、ギア１２１，１２２，および駆動ローラ５１を介して中間転写ベルト２５の速度制御又は位置制御を正確に行えるため、中間転写ベルト２５上への各色のトナー画像の位置合わせを高精度に行うことができ、画像品質を向上させることができる。
【００７２】
なお、上述の実施例では、中間転写ベルトの回動方向に沿って複数のマークが所定間隔で連続するように形成されたスケールと、そのマークの有無を検出するための光反射型のマークセンサとを使用したが、マークをスリット等の穴（透過部）に代えたスケール（中間転写ベルトの回動方向に沿って透過部と遮光部とを交互に形成したもの）等と、その穴の有無を検出するための光透過型のセンサとを使用することもできる。
【００７３】
また、中間転写ベルト以外の無端ベルト部材（搬送ベルト等）や無端ドラム状部材等の無端移動部材の回動方向に沿って所定間隔で連続するようにマーク又は穴を形成したスケール等を使用することもできる。
以上、この発明を、中間転写ベルト等の無端移動部材を適切に無端移動させるためのマーク（穴）検出回路、それを接続した駆動制御装置、およびそれを備えたカラー複写機に適用した実施例について説明したが、この発明はこれに限らず、上記駆動制御装置を備えたプリンタ，ファクシミリ装置，複合機等の各種画像形成装置に適用し得るものである。
【産業上の利用可能性】
【００７４】
この発明は、無端移動部材を適切に無端移動させるためのマーク（穴）検出回路、それを接続した駆動制御装置、およびそれを備えた複写機，プリンタ，ファクシミリ装置，複合機等の画像形成装置を含む各種電子装置に適用できる。
【図面の簡単な説明】
【００７５】
【図１】図４のマークセンサ１１０の制御系（マーク検出回路）の構成例を示すブロック図である。
【図２】この発明による画像形成装置の一実施例であるカラー複写機の内部構成例を示す構成図である。
【図３】図２に示したプリンタ部２０の構成を詳細に示す構成図である。
【図４】図３の中間転写ベルト２５とその周辺の駆動系および制御系とを構成するベルト駆動装置の構成例を示す図である。
【図５】図４に示した中間転写ベルト２５の内周面に設けたスケール２５０とマークセンサ（光センサ）１１０の一例を示す構成図である。
【００７６】
【図６】図５に示したマークセンサ１１０のマーク検出領域に汚れ（ゴミ）が付着した状態を示す図である。
【図７】図５に示したマークセンサ１１０によるマーク検出時の各種信号の波形例を示す線図である。
【図８】図５に示したマークセンサ１１０によるマーク検出不可時の（マーク検出不可部分に対応する）各種信号の波形例を示す線図である。
【図９】図１に示したマークセンサ１１０の制御系の具体的構成例を示す回路図である。
【図１０】図４の駆動制御装置１００による中間転写ベルト２５の速度制御の一例を示すフロー図である。
【図１１】図４のマークセンサ１１０の制御系の他の構成例を示すブロック図である。
【符号の説明】
【００７７】
１：複写機本体    ２０：プリンタ部    ２５：中間転写ベルト    ２６：感光体ドラム５１：駆動ローラ    ５３：２次転写ローラ    ５４：２次転写対向ローラ
６２：帯電部    ６５：１次転写ローラ    １００：駆動制御装置
１１０：マークセンサ    １１１：発光素子    １１２：コリメートレンズ
１１３：スリットマスク    １１４：ガラス    １１５：受光素子    １２０：駆動モータ
１２１，１２２：ギア    ２００：マーク検出部    ２０１：センサ部
２０２：二値化回路    ２１０：マーク検出不可検知部    ２１１：ハイパスフィルタ
２１２：絶対値回路    ２１３：平滑化回路    ２１４：出力レベル比較回路
２５０：スケール    ２５１：反射部（マーク）
【図１】
2006038943.tif 000003
【図２】
2006038943.tif 000004
【図３】
2006038943.tif 000005
【図４】
2006038943.tif 000006
【図５】
2006038943.tif 000007
【図６】
2006038943.tif 000008
【図７】
2006038943.tif 000009
【図８】
2006038943.tif 000010
【図９】
2006038943.tif 000011
【図１０】
2006038943.tif 000012
【図１１】
2006038943.tif 000013